(57)【要約】      （修正有）【課題】強い風に遭遇して、傘布が上向けに逆さになり、親骨と受骨が壊れることを防止できる耐風傘の骨組構造を提供する。【解決手段】傘の骨組が中棒１０、親骨２０、受骨３０、上ろくろ４０及び下ろくろ５０により構成され、上ろくろが中棒の上部に固設され、下ろくろが中棒の中部に摺動できるようセットされ、親骨の一端が上ろくろ上に環装され、受骨の一端は下ろくろに環装される。さらに親骨上に連結した摺動部６０を含め、親骨の中部に内止め２１と外止め２２が設けられ、摺動部が内止めと外止めの間に往復移動することができ、受骨のもう一端が摺動部に環装される。正常に傘骨組を開く際は、摺動部が上述の外止めに当たり、傘骨組が上向けに逆さになる際は、摺動部が上述の内止めに当たることにより、親骨、受骨、中棒の三者が作った三角形の構造が自由に変形し、親骨と受骨の破損が避けられる。【選択図】図１
0003188417.tif 000002
【実用新案登録請求の範囲】
【請求項１】
中棒、親骨、受骨、上ろくろ及び下ろくろによって構成され、前記上ろくろが前記中棒の上部に固設され、前記下ろくろが前記中棒の中部に摺動できるようにセットされ、前記親骨の一端が前記上ろくろ上に環装され、前記受骨の一端は前記下ろくろに環装され、さらに前記親骨上に連結した摺動部を含め、前記親骨の中部に内止めと外止めを設けられ、上述摺動部が設けられた内止めと外止めの間に往復移動することができ、前記受骨のもう一端が前記摺動部に環装されるような耐風傘の傘骨組構造。
【請求項２】
前記内止めが前記外止めと中棒の間にあり、前記摺動部に挿嵌部を設け、前記外止めに被嵌部を設け、前記挿嵌部と前記被嵌部が嵌合又は分離を選択することができるような特徴を有する、請求項１に記載の耐風傘の傘骨組。
【請求項３】
前記挿嵌部が突起で、前記被嵌部が凹槽であるような特徴を有する、請求項２に記載の耐風傘の傘骨組。
【請求項４】
前記挿嵌部が前記摺動部の内側壁上に設置する凹槽であり、前記被嵌部が外止め外側壁上に設置する凸環であることを特徴とする請求項２に記載の耐風傘の傘骨組。
【考案の詳細な説明】
【技術分野】
【０００１】
本考案は耐風傘の傘骨組に関するものである。
【背景技術】
【０００２】
傘が最もよく使われている日常生活用品として、風避け、雨避け、日避けなどの機能を持っている。既存の傘が通常傘骨組と傘布の２つ部分によって構成される。傘骨組は一本の中棒、複数本の親骨及び複数本の受骨によって構成される。中棒の頂部に一つ固設されている上ろくろがあり、中棒の中部に往復摺動できる下ろくろがある。これらの親骨の一端は上述の上ろくろに均等に環接してある。これらの受骨の一端は上述の下ろくろに均等で環接し、これらの受骨のもう一端はこれらの親骨の中部位置に環接してある。傘布が傘骨組の上に固設され、これは傘の全部の構成である。
【０００３】
傘を使用する際、強い風に遭遇すると、傘布が容易に上向けに逆さになる。受骨が上述の中棒と上述の親骨に連結してあるので、上述の傘布が強く上向けに逆さになった場合、上述の親骨と受骨は壊れる可能性がある。
【考案の概要】
【課題を解決するための手段】
【０００４】
本考案は耐風傘の傘骨組を提供し、背景技術の欠点を克服する。本考案はこれらの技術問題を解決するため、以下の技術を採用する。
【０００５】
耐風傘の傘骨組が中棒、親骨、受骨、上ろくろ及び下ろくろによって構成され、上述の上ろくろが上述の中棒の上部に固設され、上述の下ろくろが上述の中棒の中部に摺動できるようにセットされ、上述の親骨の一端が上述の上ろくろに環装され、上述の受骨の一端は上述の下ろくろに環装され、その特徴が、上述の親骨に連結する摺動部があり、上述の親骨の中部に内止めと外止めを設けられ、上述の摺動部が上述の内止めと外止めの間に往復移動できるように設置し、上述の受骨のもう一端が上述の摺動部に環接する。
【０００６】
比較的好ましい一実施例において、上述の内止めが上述の外止めと中棒の間にあり、上述の摺動部に挿嵌部が設けられ、上述の外止めに被嵌部が設けられ、上述の挿嵌部と上述の被嵌部が嵌合又は分離を選択することができる。
【０００７】
比較的好ましい一実施例において、上述の挿嵌部が突起で、上述の被嵌部が凹槽である。
【０００８】
比較的好ましい一実施例において、上述の挿嵌部が上述の摺動部の内側壁上に設置する凹槽で、上述の被嵌部が外止めの外側壁上に設置する凸環である。
【０００９】
本技術提案が背景技術と比べると、以下の優れた点がある：
１．上述の受骨の一端が上述の下ろくろに環接し、上述の受骨のもう一端が上述の摺動部に環接し、上述の摺動部が上述の内止めと外止めの間に往復移動できるように設置する。正常に傘骨組を開く際、上述の摺動部が上述の外止めに当たって、強い風に遭遇して傘骨組が上向けに逆さになった時、上述の親骨と上述の受骨が一緒に上向けに逆さになり、上述の摺動部が内止めに当たる。上述の傘骨組が上向けに逆さになった時、上述の摺動部が摺動できるので、上述の親骨、受骨、中棒の三者が形成した三角形構造が自由に変形することができ、上述の親骨と上述の受骨の破損が避けられる。
【００１０】
２．上述の内止めが上述の外止めと中棒の間にあり、上述の摺動部に挿嵌部が設けられ、上述の外止めに被嵌部が設けられ、上述の挿嵌部と上述の被嵌部が嵌合又は分離を選択することができ、正常に使用する際、上述の挿嵌部と上述の被嵌部が嵌合し、上述の傘骨組の構造が丈夫なものになる。強い風と遭遇する際、風力によって上述の挿嵌部と上述の被嵌部が分離し、上述の親骨、受骨、中棒の三者が形成した三角形は自由に変形することが可能とある。
【図面の簡単な説明】
【００１１】
これから添付の図面と実施例とを合わせ、本考案を更に詳細な説明を行う。
【図１】本考案の耐風傘の傘骨組の立体図である。
【図２】図１中のＡを拡大した略図である。
【図３】図１で示した耐風傘の傘骨組が上向けにひっくり返す際の略図である。
【図４】図３中のＢを拡大した略図である。
【図５】図１で示した耐風傘の傘骨組中の挿嵌部と被嵌部のもう一つの構造図である。
【考案を実施するための形態】
【００１２】
図１と図２を見ると、本考案は耐風傘の傘骨組に関するものであり、傘骨組が中棒１０、親骨２０、受骨３０、上ろくろ４０、下ろくろ５０及び摺動部６０によって構成される。
【００１３】
上述の親骨２０の中部に内止め２２及び外止め２２が設けられる。上述の内止め２１と上述の外止め２２が間隔を置いて設置し、且つ、上述の内止めが上述の中棒１０に近いところにある。上述の外止め２２の上には被嵌部２２２が設けられ、上述の被嵌部２２２が凹槽である。
【００１４】
上述の摺動部６３０の上に挿嵌部６１が設けられ、上述の挿嵌部６１に対応する上述の被嵌部２２２が設けられる。上述の挿嵌部６１が突起である。上述の挿嵌部６１と上述の被嵌部２２２が嵌合又は分離を選択することができる。
【００１５】
上述の上ろくろ４０が上述の中棒１０の上部に固設され；上述の下ろくろ５０が上述の中棒１０の中部に往復摺動することができ；上述の親骨２０の一端が上述の上ろくろ４０に回転できるように環接し；上述の受骨３０の一端が上述の下ろくろ５０に回転できるように環接し；上述の摺動部６０が上述の親骨２０に上述の内止め２１と上述の外止め２２の間に往復移動できるように設置し；上述の受骨３０のもう一端が上述の摺動部６０に環接してある。
【００１６】
上述の傘骨組が開く時、上述の摺動部６０が上述の外止め２２に当たり、上述の挿嵌部６１が上述の被嵌部２２２と嵌合する。
【００１７】
図３と図４を見ると、上述の親骨２０と上述の受骨３０が上向けに逆さになった際、上述の挿嵌部６１と上述の被嵌部２２２が外力の影響で分離し、上述の摺動部６０が上述の親骨２０に沿って内側に移動し、上述の摺動部６０が上述の内止め２１に当たる。
【００１８】
上述の挿嵌部６１と上述の被嵌部２２２が嵌合できれば、且つ、一定の外力の影響で分離できれば、その構造について制限されないことが理解できる。図５を見ると、上述の挿嵌部６１ａが上述の摺動部６０の内側壁上に設置する凹槽で、上述の被嵌部２２２ａが上述の外止め２２の外側壁上に設置する凸環である。
【００１９】
以上述べたのは本考案の比較的好ましい実施例だけで、これらの実施例が本考案の実施範囲を限定するものではなく、本考案の請求の範囲及び明細書の内容によってなされた如何なる変化及び修飾について、すべてが本考案の範囲内に帰属する。
【図１】
0003188417.tif 000003
【図２】
0003188417.tif 000004
【図３】
0003188417.tif 000005
【図４】
0003188417.tif 000006
【図５】
0003188417.tif 000007